(57)【要約】【課題】  使用済みの木製ドラムを再利用して、プランター等に好適な商品価値の高い箱体を安価に提供すること。【解決手段】  使用済みの木製ドラム１を解体して得られる円盤状の板材２と帯状の板材３を利用して組み立てたものであって、円盤状の板材２を切断したもので前後の壁４，５を形成してあり、前後の壁４，５の両側及び下側の縁に沿って複数の帯状の板材３，３…を並べ、帯状の板材３の両端部を前後の壁４，５の縁にそれぞれ固定してあることを特徴とする。【選択図】      図１
2008081207.tif 000002
【特許請求の範囲】
【請求項１】
使用済みの木製ドラム（１）を解体して得られる円盤状の板材（２）と帯状の板材（３）を利用して組み立てたものであって、円盤状の板材（２）を切断したもので前後の壁（４，５）を形成してあり、前後の壁（４，５）の両側及び下側の縁に沿って複数の帯状の板材（３，３，…）を並べ、帯状の板材（３，３，…）の両端部を前後の壁（４，５）の縁にそれぞれ固定してあることを特徴とする箱体。
【請求項２】
帯状の板材（３）同士の間に僅かな隙間（７）を設けてあることを特徴とする請求項１記載の箱体。
【請求項３】
前後の壁（４，５）のうち少なくとも前側の壁（４）の外側面に生き物や植物や風景を模した装飾部材（８）を有することを特徴とする請求項１又は２記載の箱体。
【請求項４】
装飾部材（８）は、円盤状の板材（２）を切断したときに生じた余りの板（９）を利用して生き物の顔を形成してあることを特徴とする請求項３記載の箱体。
【請求項５】
前後の壁（４，５）の上面を覆うように化粧板（１０）が取付けてあり、化粧板（１０）は前後の壁（４，５）の上面からはみ出していることを特徴とする請求項１，２，３又は４記載の箱体。
【請求項６】
収容部（１１）内の上部側方位置に着脱自在な棚板（１２）を設けたことを特徴とする請求項１，２，３，４又は５記載の箱体。
【発明の詳細な説明】
【技術分野】
【０００１】
本発明は、プランターや物入れ等として使用される木製の箱体に関するものであり、より詳しくは、電線、ケーブル等を輸送・保管するために使用された木製ドラムを再利用する箱体に関する。
【背景技術】
【０００２】
電線、ケーブル等の輸送や保管のために、大量の木製ドラムが現在でも使用されており、使用済みの木製ドラムはほとんどが解体されて焼却処分されている。
特許文献１には、使用済み木製ドラムを軸方向に沿って半分に切断し、プランターとして再利用することが記載されている。しかしこのプランターは、木製ドラムを単に半分に切断しただけなので、木製ドラムのリサイクル品であることが一目で分かり、しかも胴部の外周に張り出す鍔部が邪魔になり、好きな場所に置けなかったりする不都合がある。
木製のプランターは、自然な風合いからガーデニングを愛好する人達の間で人気があるが、材料費が高くつき、且つ製作に手間がかかるため、樹脂製のものと比べて値段が高い。また従来の木製のプランターは、四角い箱型や円筒形といったシンプルな形のものばかりで、面白味がなかった。    
【特許文献１】特開２００３−３３９２４４号公報
【発明の開示】
【発明が解決しようとする課題】
【０００３】
本発明は以上に述べた実情に鑑み、使用済みの木製ドラムを再利用して、プランター等に好適な商品価値の高い箱体を安価に提供することを目的とする。
【課題を解決するための手段】
【０００４】
上記の課題を達成するために請求項１記載の発明による箱体は、使用済みの木製ドラムを解体して得られる円盤状の板材と帯状の板材を利用して組み立てたものであって、円盤状の板材を切断したもので前後の壁を形成してあり、前後の壁の両側及び下側の縁に沿って複数の帯状の板材を並べ、帯状の板材の両端部を前後の壁の縁にそれぞれ固定してあることを特徴とする。
【０００５】
請求項２記載の発明による箱体は、請求項１記載の発明の構成に加え、帯状の板材同士の間に僅かな隙間を設けてあることを特徴とする。隙間の大きさは、１〜５ｍｍ程度が好ましい。
【０００６】
請求項３記載の発明による箱体は、請求項１又は２記載の発明の構成に加え、前後の壁のうち少なくとも前側の壁の外側面に生き物や植物や風景を模した装飾部材を有することを特徴とする。
【０００７】
請求項４記載の発明による箱体は、請求項３記載の発明の構成に加え、装飾部材は、円盤状の板材を切断したときに生じた余りの板を利用して生き物の顔を形成してあることを特徴とする。
【０００８】
請求項５記載の発明による箱体は、請求項１〜４記載の発明の構成に加え、前後の壁の上面を覆うように化粧板が取付けてあり、化粧板は前後の壁の上面からはみ出していることを特徴とする。
【０００９】
請求項６記載の発明による箱体は、請求項１〜５記載の発明の構成に加え、収容部内の上部側方位置に着脱自在な棚板を設けたことを特徴とする。
【発明の効果】
【００１０】
請求項１記載の発明による箱体は、使用済みの木製ドラムを解体して得られる円盤状の板材と帯状の板材を利用することで、材料費が低廉に抑えられるとともに、部品の加工や組立てが簡単に行えるので、安価に提供することができる。しかも本発明の箱体は、円盤状の板材を切断したもので前後の壁を形成し、前後の壁の両側及び下側の縁に沿って複数の帯状の板材を並べ、帯状の板材の両端部を前後の壁の縁にそれぞれ固定した構造であるため、従来の木製プランター等に見られなかった目新しい形態を容易に形作ることができ、商品価値の高いものとなる。また木製ドラムの円盤状の板材は、２枚の板を互いに直交する向きで重ねて張り合わせてあるため、これを利用して形成した前後の壁は反りが生じにくく、丈夫な箱体を形成できる。
【００１１】
さらに請求項２記載の発明による箱体は、帯状の板材同士の間に僅かな隙間を設けてあるので、帯状の板材が水分を吸収して膨張したときでも、破損したり外れたりするのを防止できる。また、帯状の板材同士の間の隙間から水を排水できる。
【００１２】
さらに請求項３記載の発明による箱体は、前後の壁のうち少なくとも前側の壁の外側面に生き物や植物や風景を模した装飾部材を有しているので、箱体にアート的な趣を加味し、箱体自体を観賞の対象とすることができ、商品価値が向上する。
【００１３】
請求項４記載の発明による箱体は、装飾部材が、円盤状の板材を切断したときに生じた余りの板を利用して生き物の顔を形成してあるので、装飾部材がかわいらしい雰囲気をかもし出し、より一層商品価値が向上すると共に、使用済み木製ドラムの円盤状の板材を余すところなく有効に利用できる。
【００１４】
請求項５記載の発明による箱体は、前後の壁の上面を覆うように化粧板が取付けてあることで、円盤状の板材を切断した切断面が隠れて外観が良好となると共に、前後の壁の内部に雨水等が浸透するのを防止して耐久性を向上させることができる。さらに化粧板は前後の壁の上面からはみ出しているので、そのはみ出した部分に手の指を掛けることで箱体を容易に持ち上げて移動できる。また、化粧板の上にマスコット等を展示することもできる。
【００１５】
請求項６記載の発明による箱体は、収容部内の上部側方位置に着脱自在な棚板を設けたので、必要に応じて棚板を取付け、棚板の上に小さな鉢や水差し、オーナメント等を置くことができるので、利便性が向上する。
【発明を実施するための最良の形態】
【００１６】
以下、本発明の実施の形態を図面に基づいて説明する。図１から図３は、本発明の箱体６の第１実施形態を示しており、図１は箱体６の正面図と側面図、図２は同箱体６の縦断面図、図３は同箱体６の使用状態を示す正面図である。本箱体６は、電線、ケーブル等の輸送や保管に使用された木製ドラム１を解体し、その部材を再利用して組み立てたものであり、且つ図３に示すように、主としてプランターとして用いられるものである。
【００１７】
図９は、一般的な木製ドラム１の構造を示している。木製ドラム１は、５０ｍｍ程度の幅の帯状の板３を円筒状に多数並べて胴部１３が形成され、その胴部１３を両側から挟むように円盤状の板材２，２が取付けられている。円盤状の板材２は、内側面に溝１４が円形に形成してあり、その溝１４に帯状の板材３の端部を嵌め込み、４組のボルト１５とナット１６により円盤状の板材２，２と胴部１３とを一体化している。円盤状の板材２は、表と裏に二枚の板２ａ，２ｂを互いに直交する向きで重ね、これらをクギ（図示省略）を使用して貼り合わせたものとなっており、中心に木製ドラム１を軸支するための軸を通す中心孔１７が形成してあり、さらに一方の円盤状の板材２には、胴部１３に巻く電線等の端末を挿通するための長孔１８が胴部１３の外周に沿うように円弧状に形成してある。木製ドラム１は、前記ボルト１５とナット１６とワッシャー（ボルトとナットの座金）２８を外すことで、２枚の円盤状の板材２，２と多数の帯状の板材３，３，…とに分解できる。木製ドラム１は、いろいろなサイズのものがあるが、本実施形態の箱体６には、円盤状の板材２の直径が６００ｍｍ程度のものを使用している。
【００１８】
本箱体６は、図１と図２に示すように、木製ドラム１を解体して得られる２枚の円盤状の板材２，２を上から１／３程度切除して前後の壁４，５を形成し、前後の壁４，５の両側から下側にかけての円弧状の縁に沿って複数の帯状の板材３，３，…を並べ、帯状の板材３，３，…の両端部を木ネジ１９で前後の壁４，５の縁にそれぞれ固定して、上側が開放した収容部１１を形成してある。前後の壁４，５と帯状の板材３，３，…は、組み立てる前に防腐・防虫材を塗布してある。前後の壁４，５の中心孔１７とボルト１５の挿通孔は、木製のダボを打ち込んで塞いである。帯状の板材３は、複数の木製ドラム１に使用されていたものの中から同じ長さのものを選び、そのまま本箱体６に使用することができる。帯状の板材３を無駄なく活用するため、片端部にクギ痕があるものや長すぎるものは、片端部を切断して長さを揃えて利用している。一つの箱体６につき、木製ドラム約１．５個分の帯状の板材３を使用している。
帯状の板材３を前後の壁４，５の縁に取付ける際、帯状の板材３同士の間に僅かな隙間７を設けている。このように隙間７を設けることで、帯状の板材３が水分を吸収して膨張したときでも、帯状の板材３が破損したり外れたりするのを防止できる。隙間７の大きさは、１〜５ｍｍ程度としてあり、箱体６の両側では隙間７を小さく、箱体６の下側では隙間７を大きめにしている。このように隙間７を設定することで、隙間７が目立たない上、排水性が良好となる。なお、隙間７から土が落ちるのを防止するため、図２に示すように、帯状の板材３，３，…の内側面に不織布よりなるカーペット２０を敷設している。
【００１９】
前後の壁４，５の上面には、化粧板１０が取付けられている。化粧板１０は、木製ドラム１を解体して得られる帯状の板材３を左右に２本並べて取付けたものであり、これにより木製ドラム１の円盤状の板材２の切断面を隠し、箱体６の美観を向上させるとともに、前後の壁４，５の内部に雨水等が浸透するのを防ぎ、耐久性を向上させることができる。また化粧板１０は、図１（ａ）に示すように、前後の壁４，５の上面から側方にはみ出しているとともに、図１（ｂ）に示すように、前後の壁４，５の上面から前後方向にもはみ出している。そのため、化粧板１０の前後の壁４，５からはみ出した部分に手の指を掛けることで、箱体６を容易に持ち上げて移動できる。また、図３に示すように、化粧板１０の上にマスコット２１を座らせて置くこともできる。
【００２０】
さらに、図２に示すように、前後の壁４，５の内側面の上部には補強板２２が取付けてあり、補強板２２の表面の右側端部には角棒状の棚受け材２６が水平に取付けてあり、化粧板１０と棚受け材２３の間に差し込むようにして棚板１２が着脱自在に設けてある。棚板１２の上には、図３に示すように水差し２３を置いたり、小さな鉢やオーナメント等を置いたりすることができる。棚板１２が不要であれば、左側にスライドさせることで簡単に取外すことができる。
【００２１】
前側の壁４の外側面には、図１（ａ）に示すように、動物（小熊）の顔を模した装飾部材８が取付けてある。動物の顔の輪郭部分８ａは、前後の壁４，５を形成するために木製ドラム１の円盤状の板材２を切断したときに出る余りの板９，９で形成している。木製ドラム１の円盤状の板材２にもともと形成されていた円弧状の長孔１８が動物の口になっており、両側が上にあがった口の形から、動物の顔が笑っているように見える。動物の目８ｂは、木製ドラム１に使用されていたワッシャー２８を傘クギで打ち付けて形成してあり、鼻８ｃは六角ナットを傘クギで打ち付けて形成してあり、耳８ｄは半円形の板を木ネジで取付けて形成してある。目８ｂと鼻８ｃと耳８ｄは黒色のペンキが塗られている。このように、前側の壁４の外側面に動物の笑った顔の装飾部材８が取付けてあることで、箱体６自体が観賞の対象となり、見る人の心を和ませたり元気を与えたりする効果がある。
【００２２】
本箱体６は、２本の丸杭２４をボルト１５とナット１６で連結して形成した台２５の上に載せて、安定して設置できる。ボルト１５とナット１６は、木製ドラム１に使用されていたものを流用している。ボルト１５は、箱体６の底面に沿うように弓状に湾曲させてある。
本箱体６は、通常のプランターと同じように、収容部１１内に土を入れて草花２７を植え、庭や玄関先等に設置される。土を入れるにあたり、収容部１１の全体に土を入れると非常に重くなるので、収容部１１内の底部に板を置いたり、切断した発泡樹脂を充填するなどして上げ底にして土を入れるようにしてもよい。
【００２３】
箱体６の正面視形状や装飾部材８は、自由に変更することができる。図４は、本発明の箱体６の第２実施形態を示しており、本箱体６は、木製ドラム１の円盤状の板材２の下部を切断して前後の壁４，５を形成し、前後の壁の４，５の円弧状の縁に沿って複数の帯状の板材３，３，…を並べて架設し、底の浅い三日月状の形態としている。前側の壁４の外側面には、木製ドラム１の円盤状の板材２を切断した際の余りの板９を利用して、ウーパールーパーを模した装飾部材８を設けてある。
【００２４】
図５は、本発明の箱体６の第３実施形態を示しており、本箱体６は、木製ドラム１の円盤状の板材２の略上半分と下部を切断して前後の壁４，５を形成し、その両側の縁と下側の縁に沿って複数の帯状の板材３，３，…を並べて架設している。前側の壁４の外側面には、人の顔を模した装飾部材８を有している。この装飾部材８は、前側の壁４自体が顔の輪郭になっており、木製ドラム１の円盤状の板材２にもともと形成されていた円弧状の長孔１８が口になっている。箱体６を載せる台２５は、４本の角材を井桁状に組んで形成してある。
【００２５】
図６は、本発明の箱体６の第４実施形態を示しており、本箱体６は、木製ドラム１の円盤状の板材２の略上半分を切断すると共に両側を斜めに切断して前後の壁４，５を形成し、その両側の斜めの縁と下側の円弧状の縁に複数の帯状の板材３，３，…を並べて架設している。前側の壁４の外側面には、第３実施形態のものと同様に、人の顔を模した装飾部材８を設けてある。なお、第３実施形態と第４実施形態の箱体６においては、長孔１８から土が漏れるのを防ぐため、前側の壁４の内側面に適当な大きさの板（図示省略）を取付けて、長孔１８を内側から塞いである。
【００２６】
図７は、本発明の箱体６の第５実施形態を示している。この箱体６の前後の壁４，５は、直径が１ｍを越えるような大型の木製ドラム１の円盤状の板材２を、図８に示すような形で切断して形成しており、前後の壁４，５の両側と下側の縁に沿って複数の帯状の板材３，３，…を並べて架設している。前側の壁４の外側面には、ブドウを模した装飾部材８を取付けてある。ブドウの実は、丸棒を輪切りにしたものをクギで打ち付けたものである。
【００２７】
本発明の箱体は、以上に述べた実施形態に限定されない。装飾部材は、山や川、建物などの風景を表したものであってもよい。また装飾部材は、前側の壁だけでなく後側の壁の外側面にも設けることができる。装飾を好まない人や、箱体を購入した人が自分流の表現を希望される場合のために、装飾部材を有しないものとすることもできる。また、木の自然な風合いを楽しむため、防虫・防腐剤を塗布しないようにすることもできる。本発明の箱体は、プランターとしての用途の他、プランターカバーや鉢カバー、道具入れ、おもちゃ入れ、さらには商品陳列用の箱等としても好適に用いることができる。
【図面の簡単な説明】
【００２８】
【図１】（ａ）は本発明の箱体の第１実施形態を示す正面図であり、（ｂ）は同側面図である。
【図２】図１（ｂ）のＡ−Ａ断面図である。
【図３】第１実施形態の箱体の使用状態を示す正面図である。
【図４】本発明の箱体の第２実施形態を示す正面図である。
【図５】本発明の箱体の第３実施形態を示す正面図である。
【図６】本発明の箱体の第４実施形態を示す正面図である。
【図７】本発明の箱体の第５実施形態を示す正面図である。
【図８】第５実施形態の箱体の前後の壁を形成する場合の木製ドラムの円盤状の板材の切断線を示す正面図である。
【図９】（ａ）は木製ドラムの一部切り欠き正面図であり、（ｂ）は木製ドラムの一部切り欠き側面図である。
【符号の説明】
【００２９】
１  木製ドラム
２  円盤状の板材
３  帯状の板材
４  前側の壁
５  後側の壁
６  箱体
７  隙間
８  装飾部材
９  余りの板
１０  化粧板
１１  収容部
１２  棚板
【図１】
2008081207.tif 000003
【図２】
2008081207.tif 000004
【図３】
2008081207.tif 000005
【図４】
2008081207.tif 000006
【図５】
2008081207.tif 000007
【図６】
2008081207.tif 000008
【図７】
2008081207.tif 000009
【図８】
2008081207.tif 000010
【図９】
2008081207.tif 000011